(57)【要約】【課題】車両用動力伝達装置のトランスアクスルケースを構成する円形状のカバーで発生する一次振動モードおよび二次振動モードで発生する音を抑制することができるカバーを提供する。【解決手段】カバー１５ｃの軸支持部７６と締結部７４との間で周方向に連なる周方向壁８０が、ケース外部側へ膨らむ円弧状断面に形成されている。このようにすれば、カバー１５ｃの剛性が高められ、カバー１５ｃの一次振動モードおよび二次振動モードが発生する共振周波数を高めることができる。特に、周方向壁８０が円弧状断面に形成されることで、二次振動モードが発生する共振周波数が大幅に高められ、音として問題になる振動モードを一次振動モードのみに減らすことができる。【選択図】図２
2011256919.tif 000002
【特許請求の範囲】
【請求項１】
軸心方向の一方の端部が開口する円筒状のケースと、該ケースの一方の開口を塞ぐように締結される円形状のカバーとを、有する車両用動力伝達装置のトランスアクスルケースであって、
前記カバーは、該車両用動力伝達装置内部に収容されている所定の回転軸を支持するために該カバーの内周部に形成されている軸支持部と、前記ケースと締結するために該カバーの外周部に形成されている締結部とを備え、
前記カバーの軸支持部と締結部との間で周方向に連なる周方向壁が、半径方向の中間部がケース外部側へ膨らむ円弧状断面に形成されていることを特徴とする車両用動力伝達装置のトランスアクスルケース。
【請求項２】
前記所定の回転軸は、前記ケース内に収容されている電動機の回転軸であり、
前記カバーの周方向壁が円弧状断面に形成されることによってその内側に形成される環状の空間に、該電動機のコイルエンドが収容されることを特徴とする請求項１の車両用動力伝達装置のトランスアクスルケース。
【請求項３】
前記周方向壁は、前記カバーの周方向の一部に形成されていることを特徴とする請求項１または２の車両用動力伝達装置のトランスアクスルケース。
【請求項４】
前記カバーに形成されている周方向壁には、補強用のリブが放射状に設けられていることを特徴とする請求項１乃至３のいずれか１の車両用動力伝達装置のトランスアクスルケース。
【発明の詳細な説明】
【技術分野】
【０００１】
本発明は、車両用動力伝達装置のトランスアクスルケースに係り、特に、トランスアクスルケースの振動による発音を抑制することができるケースの構造に関するものである。
【背景技術】
【０００２】
車両用動力伝達装置の回転部材や歯車機構等を収容するトランスアクスルケースにおいて、軸心方向の一方の端部が開口する円筒状のケースと、そのケースの一方の開口部を塞ぐように締結される円形状のカバーとを備えるものが知られている。上記のように構成されるトランスアクスルケースにおいて、前記円形状のカバーは、壁面の面積が大きく、また、その壁の剛性が比較的低いため、共振振動を起こして発音しやすい構造となっている。図９に、従来形状のカバー２００の断面の斜視図を一例として示す。図９に示すように、従来のカバー２００では、例えばその外周部２０２と内周部２０４との間の壁２０６が、略直線上に形成されている。
【０００３】
ところで、発音が問題となるのは、一般に５ｋＨｚ以下の周波数範囲とされている。図９に示したカバーでは、５ｋＨｚ以下の周波数範囲において、カバー２００の一次振動モードだけでなく、二次振動モードが発生する。なお、一次振動モードとは、図１０の破線で示すように、カバー２００の内周部２０４が振動の腹となる振動モードであり、二次振動モードとは、図１１の破線で示すように、壁面２０６が振動の腹となる振動モードである。
【０００４】
このような振動モードの発生に起因する音を抑制するため、従来では、カバーの肉厚を増加させたり、ケース壁面にリブを設けるなどしてカバーの剛性を高くする手段がとられていた。或いは、マスダンパやダイナミックダンパを設けてカバーの振動特性を変更する手段がとられていた。例えば特許文献１においては、ケース１１にダイナミックダンパとして機能する固着体１２を設けることで、ケース振動を低減する技術が開示されている。
【先行技術文献】
【特許文献】
【０００５】
【特許文献１】特開２００２−２４２９８５号公報
【発明の概要】
【発明が解決しようとする課題】
【０００６】
しかしながら、特許文献１に記載のケース１１では、ケース内周側が振動モードの腹となる一次振動モードの振動が抑制されるものの、二次振動モードが発生した場合には、その振動が低減されない。すなわち、固着体１２は一次振動モードのみに機能するダイナミックダンパであるため、他の高次（二次以上）の振動モードには効果が生じない問題があった。また、ケース１１に固着体１２を設けることで、質量増加やコスト増加を招いてしまう問題があった。
【０００７】
本発明は、以上の事情を背景として為されたものであり、その目的とするところは、車両用動力伝達装置のトランスアクスルケースを構成する円板状のカバーで発生する一次振動モードおよび二次振動モードで発生する音を抑制することができるカバーを提供することにある。
【課題を解決するための手段】
【０００８】
上記目的を達成するための、請求項１にかかる発明の要旨とするところは、(a)軸心方向の一方の端部が開口する円筒状のケースと、そのケースの一方の開口を塞ぐように締結される円形状のカバーとを、有する車両用動力伝達装置のトランスアクスルケースであって、(b)前記カバーは、その車両用動力伝達装置内部に収容されている所定の回転軸を支持するためにそのカバーの内周部に形成されている軸支持部と、前記ケースと締結するためにそのカバーの外周部に形成されている締結部とを備え、(c)前記カバーの軸支持部と締結部との間で周方向に連なる周方向壁が、半径方向の中間部がケース外部側へ膨らむ円弧状断面に形成されていることを特徴とする。
【０００９】
また、請求項２にかかる発明の要旨とするところは、請求項１の車両用動力伝達装置のトランスアクスルケースにおいて、前記所定の回転軸は、前記ケース内に収容されている電動機の回転軸であり、前記カバーの周方向壁が円弧状断面に形成されることによってその内側に形成される環状の空間に、その電動機のコイルエンドが収容されることを特徴とする。
【００１０】
また、請求項３にかかる発明の要旨とするところは、請求項１または２の車両用動力伝達装置のトランスアクスルケースにおいて、前記周方向壁は、前記カバーの周方向の一部に形成されていることを特徴とする。
【００１１】
また、請求項４にかかる発明の要旨とするところは、請求項１または２の車両用動力伝達装置のトランスアクスルケースにおいて、前記カバーに形成されている周方向壁には、補強用のリブが放射状に設けられていることを特徴とする。
【発明の効果】
【００１２】
請求項１にかかる発明の車両用動力伝達装置のトランスアクスルケースによれば、前記カバーの軸支持部と締結部との間で周方向に連なる周方向壁が、半径方向の中間部がケース外部側へ膨らむ円弧状断面に形成されている。このようにすれば、カバーの剛性が高められ、カバーの一次振動モードおよび二次振動モードが発生する共振周波数を高めることができる。特に、周方向壁が円弧状断面に形成されることで、二次振動モードが発生する共振周波数が大幅に高められ、音として問題になる振動モードを一次振動モードのみに減らすことができる。したがって、一次振動モード以外のカバーの発音対策が不要となるため、一次振動モード以外の発音対策によるコストをなくすことができる。
【００１３】
また、請求項２にかかる発明の車両用動力伝達装置のトランスアクスルケースによれば、前記カバーの周方向壁が円弧状断面に形成されることによってその内側に形成される環状の空間に、電動機のコイルエンドが収容されるため、カバーの二次振動モードの共振周波数を大幅に高めることができると共に、前記環状の空間が有効に活用されてトランスアクスルケースの軸心方向への大型化を抑制することができる。
【００１４】
また、請求項３にかかる発明の車両用動力伝達装置のトランスアクスルケースによれば、前記周方向壁は、前記カバーの周方向の一部に形成されている場合であっても、カバーの二次振動モードの共振周波数を大幅に高めることができる。また、前記カバーの円弧状断面が形成されない壁に、例えば車両用動力伝達装置のマウント部等を設けるなどして、カバーを有用に活用することができる。
【００１５】
また、請求項４にかかる発明の車両用動力伝達装置のトランスアクスルケースによれば、前記カバーに形成されている周方向壁には、補強用のリブが放射状に設けられているため、カバーの壁の剛性がさらに高められ、さらに一次振動モードが発生する共振周波数を高周波数化することができる。
【図面の簡単な説明】
【００１６】
【図１】本発明が適用されたハイブリッド形式の車両用動力伝達装置の骨子図である。
【図２】図１の車両用動力伝達装置のトランスアクスルケースのカバーの構造を説明するための部分断面図である。
【図３】トランスアクスルケースのカバーのケース壁の形状に対する一次振動モードおよび二次振動モードの共振周波数を示す図である。
【図４】図２のカバーを簡略的に示した図である。
【図５】本発明の他の実施例であるカバーの形状を示す正面図である。
【図６】図５のカバーを、切断線Ａで切断した断面図である。
【図７】本発明のさらに他の実施例であるカバーの形状を示す正面図である。
【図８】図７のカバーを、切断線Ｂで切断した断面図である。
【図９】従来形状のカバーの断面を一例として示す斜視図である。
【図１０】図９のカバーにおいて一次振動モードが発生したときのカバーの振動状態を示す図である。
【図１１】図９のカバーにおいて二次振動モードが発生したときのカバーの振動状態を示す図である。
【発明を実施するための形態】
【００１７】
以下、本発明の実施例を図面を参照しつつ詳細に説明する。なお、以下の実施例において図は適宜簡略化或いは変形されており、各部の寸法比および形状等は必ずしも正確に描かれていない。
【実施例１】
【００１８】
図１は、本発明が適用されたハイブリッド形式の車両用動力伝達装置１０の骨子図である。この車両用動力伝達装置１０は、ＦＦ（フロントエンジン・フロントドライブ）、すなわち回転軸が車両の幅方向と略平行に配置される横置のもので、燃料の燃焼によって作動する内燃機関などのエンジン１２と、第１電動機ＭＧ１と、シングルピニオン型の遊星歯車機構１４と、第２電動機ＭＧ２とを、トランスアクスルケース１５内に備えている。ここで、トランスアクスルケース１５は、主に第１電動機ＭＧ１を収容するハウジング１５ａ、主に遊星歯車装置１４および第２電動機ＭＧ２を収容するケース１５ｂ、およびケース１５ｂの一方の開口を塞ぐためのカバー１５ｃがボルト等によって一体的に締結されることで構成される。
【００１９】
遊星歯車機構１４は、機械的にエンジン１２からの動力を第１電動機ＭＧ１と車輪側出力軸とに動力を分配するためのものでエンジン１２に連結されたキャリヤＣＡと、第１電動機ＭＧ１のロータ１６に連結されたサンギヤＳと、第２電動機ＭＧ２のロータ１８および出力部材としてのスプロケット２０に連結されたリングギヤＲとを備えており、主としてエンジン１２から伝達された動力を第１電動機ＭＧ１およびスプロケット２０に分配する。
【００２０】
第１電動機ＭＧ１は、主としてジェネレータとして用いられ、エンジン１２により遊星歯車機構１４を介して回転駆動されることにより発生した電気エネルギをバッテリー等の蓄電装置に充電する一方、第２電動機ＭＧ２は、主として駆動モータとして用いられ、単独で、或いはエンジン１２と共に車両の動力源として用いられるもので、大トルクを必要とする第２電動機ＭＧ２は第１電動機ＭＧ１よりも大型である。なお、第１電動機ＭＧ１は、エンジン始動時や高速走行時等において、駆動モータとしても用いられ、第２電動機ＭＧ２は、車両の減速時等において、ジェネレータとしても用いられる。ここで、エンジン１２の出力は、回転変動やトルク変動を抑制するためのフライホイール２２とダンパ装置２４とを介して遊星歯車機構１４に伝達される。
【００２１】
スプロケット２０は、減速機構２６を構成している第１中間軸２８に設けられたドリブンスプロケット３０にチェーン３２を介して連結されている。減速機構２６は、上記第１中間軸２８と平行な第２中間軸３４とを備えており、互いに噛み合わされた減速ギヤ対３６、３８によって減速すると共に、第２中間軸３４に設けられた出力歯車４０から傘歯車式の差動歯車装置４２に動力を伝達する。出力歯車４０は、差動歯車装置４２の入力部材である大径のリングギヤ４４と噛み合わされており、そのリングギヤ４４がさらに減速回転させられると共に、一対の出力軸４６、４８を経て左右の駆動輪に動力が分配される。
【００２２】
図２は、図１の車両用動力伝達装置１０のトランスアクスルケース１５のカバー１５ｃの構造を説明するための部分断面図である。図２に示すように、トランスアクスルケース１５内には、第２電動機ＭＧ２が軸心Ｃまわりに回転可能に設けられている。第２電動機ＭＧ２は、トランスアクスルケース１５にボルト５０によって回転不能に固定されている複数枚の積層鋼板から構成される円筒状のステータ５２と、ステータ５２に対して軸心方向に突き出すように配置されているコイルの束であるコイルエンド５４と、ステータ５２の内周側に回転可能に配置されている複数枚の積層鋼板から構成される円筒状のロータ５６と、ロータ５６の内周部に連結されて軸心Ｃまわりに回転可能に支持されているロータシャフト５８とを、備えている。
【００２３】
ロータシャフト５８は、トランスアクスルケース１５（カバー１５ｃ）に軸受６０を介して回転可能に支持されており、その軸心方向の端部には、オイルポンプ６２が設けられている。オイルポンプ６２は、エンジン１２によって駆動される回転軸５９の端部に嵌め付けられているドライブロータ６４と、トランスアクスルケース１５のカバー１５ｃ側に嵌め付けられているドリブンロータ６６と、とを備えており、回転軸５９の回転に従って駆動させられる。また、軸心方向において軸受６０と第２電動機ＭＧ２（ロータシャフト５８）との間には、第２電動機ＭＧ２の回転速度を検出するためのレゾルバ７０が設けられている。なお、第２電動機ＭＧ２が本発明の電動機に対応しており、ロータシャフト５８が本発明の所定の回転軸、および電動機の回転軸に対応している。
【００２４】
トランスアクスルケース１５は、軸心方向においてオイルポンプ６２側の端部が開口する円筒状のケース１５ｂに、そのケース１５ｂの開口を塞ぐように円形状のカバー１５ｃがボルト７２によって締結されることで形成されている。カバー１５ｃは、ケース１５ｂと締結するためにその外周部に形成されている締結部７４と、第２電動機ＭＧ２の回転軸として機能するロータシャフト５８を軸受６０を介して回転可能に支持するためにその内周部に形成されている軸支持部７６とを備えている。また、締結部７４と軸支持部７６との間で周方向に連なる周方向壁８０が、図２に示すように、半径方向の中間部がケース外部側に膨らむ円弧状断面を有する曲面で周方向に連なって円還状に形成されている。具体的には、周方向壁８０は、軸心方向に膨らんだ状態の円弧を軸心Ｃまわりに回転させることで得られる曲面状に形成されている。なお、前記円弧状断面は、真円の半分の円弧を軸心Ｃまわりに回転させることで得られる形状に限定されず、楕円の半分の円弧を軸心Ｃまわりに回転させることで得られる形状であっても構わない。
【００２５】
また、周方向周方向壁８０が円弧状断面を有する円還状に形成されるに従って、トランスアクスルケース１５の内部には、本発明の環状の空間に対応する環状空間８２が形成される。本実施例では、この環状空間８２に第２電動機ＭＧ２のコイルエンド５４の一部が収容されているため、車両用動力伝達装置１０が軸心方向へコンパクト化されている。
【００２６】
図３は、トランスアクスルケース１５のカバー１５ｃの周方向壁８０を、以下に示す形状とした場合に得られる、一次振動モードおよび二次振動モードの共振周波数を示している。なお、図３に示す一次振動モードおよび二次振動モードの共振周波数は、それぞれシミュレーションによって得られた計算結果である。
【００２７】
図３において、縦軸が、シミュレーションのモデルとなった各カバーの壁（周方向壁）の断面形状を斜視図で示しており、横軸が、そのモデルに対応する一次振動モードおよび二次振動モードの共振周波数を示している。図３に示すように、本シミュレーションでは、異なる壁形状を有する５つのカバーに関する共振周波数が算出された。具体的には、図３において一番上に示すカバーは、その壁が平面状（ストレート）に形成されたモデル（以下、ストレートモデルと記載）であり、２番目のカバーは、その壁が平面状に形成されると共に、その壁において段付部が形成されているモデル（以下、段付ストレートモデルと記載）であり、３番目のカバーは、その壁が楕円状に形成されているモデル（以下、楕円モデルと記載）であり、４番目のカバーは、その壁が波型に形成されているモデル（以下、波型モデルと記載）であり、一番下に（５番目）示すカバーは、本実施例のカバー１５ｃに対応する壁が円弧状断面に形成されているモデル（以下、円弧状断面モデルと記載）である。
【００２８】
図３に示すように、ストレートモデルでは、一次振動モードおよび二次振動モード共に共振周波数が小さく、一次振動モードおよび二次振動モード共に発音が問題となる。すなわち、ストレートモデルについては、一次振動モードおよび二次振動モード共に発音対策が必要となる。また、段付ストレートモデルでは、ストレートモデルに比べて一次振動モードの共振周波数が幾分高くなっているが、二次振動モードについては共振周波数が殆ど変化していない。
【００２９】
また、楕円モデルでは、ストレートモデルおよび段付ストレートモデルと比較すると、壁が曲面化されることで壁の剛性が高くなるに従い、一次振動モードの共振周波数が高くなるだけでなく、二次振動モードの共振周波数も同様に高くなっている。さらに、波型モデルについても同様に、ストレートモデルおよび段付ストレートモデルと比較すると、壁が曲面化されることで壁の剛性が高くなるに従い、一次振動モードの共振周波数が高くなるだけでなく、二次振動モードの共振周波数が高くなっている。
【００３０】
本実施例のカバー１５ｃに対応する円弧状断面モデルでは、楕円モデルおよび波型モデルと比較して、一次振動モードの共振周波数は殆ど変わらないものの、二次振動モードの共振周波数が大幅に向上している。具体的には、二次振動モードの共振周波数が７ｋＨｚ程度まで向上している。一般に、車両において音として問題となる周波数は、５ｋＨｚ以下程度の範囲とされており、本実施例の円弧状断面モデルでは、共振周波数が５ｋＨｚを大幅に越えることから、二次振動モードの発音対策が不要となる。すなわち、一次振動モードの発音対策のみを実施するだけで、発音が抑制されることとなる。
【００３１】
ここで、円弧状断面モデルの壁と楕円モデルの壁とを比較すると、その外周部の形状は、それぞれ曲面状に形成されて共通しているが、内周部の形状は、楕円モデルが略平面状に形成されている一方、円弧状断面モデルでは、曲面状に形成されている点で相違している。上記形状の変化によって二次振動モードの共振周波数が相違する。また、円弧状断面モデルの壁と波型モデルの壁とを比較すると、波型モデルでは、図３の波型モデルの斜視断面図に示すように、その壁において変曲点を有している。一方、円弧状断面モデルでは、その壁に変曲点が存在しない。なお、変曲点とは、カバーの壁の曲面が凸から凹に変化する点であり、図３の波形モデルの斜視断面に示すように、変曲点を境界に壁が凸から凹に変化している。これより、円弧状断面モデルでは、壁において前記変曲点を持たないことによって、二次振動モードの共振周波数が大幅に向上することがシミュレーションによって確認された。
【００３２】
上記壁が変曲点を持たない形状（円弧状断面の形状）は、図２で示したカバー１５ｃにおいても同様であり、軸支持部７６と締結部７４との間の周方向壁８０には変曲点が存在しない。したがって、図２に示すカバー１５ｃにおいても二次振動モードの共振周波数が例えば５ｋＨｚ以上に大幅に向上するため、二次振動モードの発音対策が不要となる。
【００３３】
図２のカバー１５ｃを簡略的に示すと、図４の実線に示すようになる。図４において、円弧状断面の周方向壁８０の頂部Ｄと締結部７４との軸心方向の距離Ｈ（高さＨ）が大きくなるに従って剛性が増加するため、図３の楕円モデルと同様に、一次振動モードの共振周波数が高くなる。高さＨが大きくなると、一次振動モードの共振周波数が高くなる反面、トランスアクスルケース１５が軸心方向に長くなるが、カバー１５ｃでは、軸支持部７６（内周側）が軸心方向において第２電動機ＭＧ２側に形成されるため、カバー１５ｃの内周側では、トランスアクスルケース１５の軸心方向への増加が、例えば図４の破線に示すような楕円モデルと比較して抑制される。すなわち、省スペース化となる。
【００３４】
上述のように、本実施例によれば、カバー１５ｃの軸支持部７６と締結部７４との間で周方向に連なる周方向壁８０が、半径方向の中間部がケース外部側へ膨らむ円弧状断面に形成されている。このようにすれば、カバー１５ｃが殻構造とされその剛性が高められ、カバー１５ｃの一次振動モードおよび二次振動モードが発生する共振周波数を高めることができる。特に、周方向壁８０が円弧状断面に形成されることで、二次振動モードが発生する共振周波数が大幅に高められ、音として問題になる振動モードを一次振動モードのみに減らすことができる。したがって、一次振動モード以外のカバー１５ｃの発音対策が不要となるため、一次振動モード以外の発音対策によるコストをなくすことができる。
【００３５】
また、本実施例によれば、カバー１５ｃの周方向壁８０が円弧状断面に形成されることによって形成される環状空間８２に、その動機のコイルエンド５４が収容されるため、カバー１５ｃの二次振動モードの共振周波数を大幅に高めることができると共に、前記環状空間８２が有効に活用されてトランスアクスルケース１５の軸心方向への大型化が抑制される。
【００３６】
つぎに、本発明の他の実施例を説明する。なお、以下の説明において前述の実施例と共通する部分には同一の符号を付して説明を省略する。
【実施例２】
【００３７】
図５は、本発明の他の実施例であるカバー１００の正面図であり、図６は、図５のカバー１００を、切断線Ａで切断した断面図である。図５に示すカバー１００の壁において、破線で囲まれてハッチングが施されている周方向の一部の領域が円弧状断面を有する周方向壁１０２に形成されており、カバー１００の全周が円弧状断面に形成されていない。図６に示すように、図５のハッチングされている領域では、その周方向壁１０２の断面（図６の軸心Ｃに対して右側）が円弧状断面に形成されている一方、ハッチングされていない領域の壁では、その断面（図６の軸心Ｃに対して左側）が円弧状断面に形成されていない。具体的には、カバー１００には、車両用動力伝達装置１０をマウントするマウント部１０４やレゾルバ７０の端子を取り出す端子取り出し部１０６が設けられているため、これらマウント部１０４および端子取り出し部１０６では、壁が円弧状断面に形成されない。
【００３８】
上記のように構成されるカバー１００であっても、カバーの周方向の一部が円弧状断面を有する周方向壁１０２に形成されることで、カバー１００の二次振動モードの共振周波数を大幅に向上させることができる。すなわち、カバー１００の壁の一部が円弧状断面に形成される場合であっても、前述した実施例と同様の効果を得ることができる。
【００３９】
上述のように、本実施例によれば、カバー１００の周方向の一部が円弧状断面を有する周方向壁１０２に形成されている場合であっても、前述の実施例と同様に、二次振動モードの共振周波数を大幅に高めることができる。また、カバー１００の円弧状断面が形成されない壁に例えば車両用動力伝達装置１０のマウント部１０４や端子取り出し部１０６を設けるなどして、カバー１００を有用に活用することができる。
【実施例３】
【００４０】
図７は、本発明の他の実施例であるカバー１２０の正面図であり、図８は、図７のカバー１２０を、切断線Ｂで切断した断面図である。図７のカバー１２０では、前述したカバー１００において、円弧状断面に形成されている周方向壁１２４にさらにリブ１２２が設けられている。リブ１２２は、図７に示すように、円弧状断面に形成されている周方向壁１２４に放射状に５つ形成されており、このリブ１２２が設けられることで、周方向壁１２４の剛性が向上されている。また、リブ１２２は、カバー１２０の外周側だけでなく、カバー１２０の内周側にも同様に形成されている。図８の断面図で示すように、リブ１２２は、円弧状断面に形成されている周方向壁１２４に形成されており、ケース外側に形成されている外側リブ１２２ａおよびケース内部に形成されている内側リブ１２２ｂから構成されている。これは、円弧状断面に形成されているトランスアクスルケース内部には、空間が形成されるため、その空間にも内側リブ１２２ｂが設けられることで、空間が無駄に形成されるのを防止するだけでなく、周方向壁１２４の剛性増加に従って一次振動モード時の発音が抑制される。
【００４１】
上記のように構成されるカバー１２０であっても、カバー１２０の二次振動モードの共振周波数が大幅に向上し、さらに、リブ１２２が追加されることによって一次振動モードによる発音が抑制される。
【００４２】
上述のように、本実施例によれば、カバー１２０の円弧状断面に形成されている壁１２４には、さらに放射状にリブ１２２が設けられているため、カバー１２０の周方向壁１２４の剛性がさらに高められ、一次振動モードが発生する共振周波数を高周波数化することができる。
【００４３】
以上、本発明の実施例を図面に基づいて詳細に説明したが、本発明はその他の態様においても適用される。
【００４４】
例えば、前述の実施例では、カバー１５ｃの軸支持部７６は、電動機ＭＧ２のロータシャフト５８を回転可能に支持するものであったが、本発明は、必ずしも電動機ＭＧ２のロータシャフト５８を支持ものに限定されず、電動機ＭＧ２とは別の回転軸を支持する構成であっても構わない。
【００４５】
また、前述の実施例では、車両用動力伝達装置１０は、ハイブリッド形式の動力伝達装置であったが、本発明は、必ずしもハイブリッド形式の動力伝達装置に限定されず、例えば電気自動車や通常の多段式の自動変速機を有する動力伝達装置等に適用されても構わない。
【００４６】
なお、上述したのはあくまでも一実施形態であり、本発明は当業者の知識に基づいて種々の変更、改良を加えた態様で実施することができる。
【符号の説明】
【００４７】
１０：車両用動力伝達装置
１５：トランスアクスルケース
１５ｂ：ケース
１５ｃ、１００、１２０：カバー
５４：コイルエンド
５８：ロータシャフト（所定の回転軸、電動機の回転軸）
７４：締結部
７６：軸支持部
８０、１０２、１２４：周方向壁
８２：環状空間（環状の空間）
１２２：リブ
ＭＧ２：第２電動機（電動機）
【図１】
2011256919.tif 000003
【図２】
2011256919.tif 000004
【図３】
2011256919.tif 000005
【図４】
2011256919.tif 000006
【図５】
2011256919.tif 000007
【図６】
2011256919.tif 000008
【図７】
2011256919.tif 000009
【図８】
2011256919.tif 000010
【図９】
2011256919.tif 000011
【図１０】
2011256919.tif 000012
【図１１】
2011256919.tif 000013